(57)【要約】      （修正有）【課題】取り付け作業の簡略化を図ると共に部品点数を減らしコストの低減化が可能な短冊を提供する。【解決手段】短冊１０は、上部に上半円形状の穴１１が形成されており、短冊１０だけを用意すれば笹等に簡単に取り付けることができる。短冊１０の穴１１が上半円形状を有しているため、短冊１０を笹等に吊り下げた時の姿勢が鉛直姿勢又はそれに近い姿勢を保つようになるため、短冊１０で笹等を綺麗に飾りつけすることができる。【選択図】図１
0003183925.tif 000002
【実用新案登録請求の範囲】
【請求項１】
上部に上半円形状の穴が形成されていることを特徴とする短冊。
【請求項２】
前記穴の直径は前記短冊の幅の略１／２の寸法を有していることを特徴とする請求項１に記載の短冊。
【請求項３】
上端部が前記穴の形状に沿って半円状に形成されていることを特徴とする請求項１又は２に記載の短冊。
【請求項４】
七夕飾りとして使用されることを特徴とする請求項１〜３のいずれか１の請求項に記載の短冊。
【考案の詳細な説明】
【技術分野】
【０００１】
本考案は、七夕飾り等として使用される短冊に関するものである。
【背景技術】
【０００２】
従来、図２に示されているように、七夕飾りとして短冊１が使用されており、この短冊１は、短冊１の上部に穿設された小さな丸穴２にこより３を通したものを笹の小枝４に吊り下げて飾られるようになっている。
【先行技術文献】
【非特許文献】
【０００３】
【非特許文献１】菩檀屋の七夕飾りセットの通販サイト（http://www.pr-youhin.co.jp/tanabata/index3.html）
【考案の概要】
【考案が解決しようとする課題】
【０００４】
しかしながら、上記した従来の短冊１は、こより３を使用して笹の小枝４に吊り下げられるようになっているため、短冊１の小さな丸穴２にこより３を通したり、こより３の端部を結束したりする細かい作業を行う必要がある。そのため、短冊１の笹等への取り付け作業に手間が掛かるといった問題がある。また、短冊１の他にこより３が必要となるため、部品点数が増え、コストの低減化が図り難いと言う問題もある。
【０００５】
本考案は、上記した課題を解決すべくなされたものであり、取り付け作業の簡略化を図ると共にコストの低減化を図ることできる短冊を提供することを目的とするものである。
【課題を解決するための手段】
【０００６】
上記した目的を達成するため、本考案に係る短冊は、上部に上半円形状の穴が形成されていることを特徴とする。
【０００７】
この特徴によれば、短冊だけを用意すれば笹等に簡単に取り付けることができるため、短冊の笹等への取り付け作業の簡略化を図ることができる。また、部品点数を削減することができるため、コストの低減化を図ることもできる。また、短冊の穴が上半円形状を有しているため、短冊を笹等に吊り下げた時の姿勢が鉛直姿勢又はそれに近い姿勢を保つようになるため、短冊で笹等を綺麗に飾りつけすることができる。
【０００８】
また、本考案に係る短冊において、前記穴の直径は前記短冊の幅の略１／２の寸法を有していることを特徴としてもよい。
【０００９】
この特徴によれば、短冊を取り付ける笹の小枝等が十分な遊びを有した状態で挿通可能な大きさの穴が短冊に形成されているため、短冊の笹等への取り付け作業のさらなる簡略化を図ることができる。
【００１０】
また、本考案に係る短冊の上端部が前記穴の形状に沿って半円状に形成されていることを特徴としてもよい。
【００１１】
この特徴によれば、短冊を吊り下げる時に、短冊の上端部が笹の葉や小枝等に干渉するのを防止することができるため、短冊の笹等への取り付け作業をより簡略化することができると共に、短冊で笹等をさらに綺麗に飾りつけすることができる。
【００１２】
また、本考案に係る短冊は、七夕飾りとして使用されることを特徴としてもよい。
【００１３】
この特徴によれば、短冊を笹に取り付ける時にこよりを必要としないため、短冊の笹への取り付け作業の簡略化を図ることができると共に、部品点数を削減することができ、コストの低減化を図ることができる。
【考案の効果】
【００１４】
本考案によれば、取り付け作業の簡略化を図ることができると共に、コストの低減化を図ることできる等、種々の優れた効果を得ることができる。
【図面の簡単な説明】
【００１５】
【図１】本考案の実施形態に係る短冊を示す平面図である。
【図２】従来の短冊を笹の小枝に吊り下げた状態を示す図である。
【考案を実施するための形態】
【００１６】
以下、図面を参照しつつ、本考案の実施形態に係る短冊１０について説明する。なお、以下の説明では、短冊１０を七夕飾りとして使用する場合について例示して説明する。
【００１７】
図１は本考案の実施の形態に係る短冊１０を示す平面図であり、この短冊１０は、縦長の紙製であり、上部に上半円形状の穴１１が形成されている。短冊１０のこの穴１１は、短冊１０を吊り下げる笹の小枝が十分な遊びを有した状態で挿通可能な大きさを備えている。具体的には、短冊１０のこの穴１１の直径ｄは短冊１０の幅ｗの略１／２の寸法を有しており、例えば、短冊１０の幅ｗが５０ｍｍで、穴１１の直径ｄが２５ｍｍとなるように形成されている。また、短冊１０の上端部１２は、穴１１の形状に沿って同心の半円状に形成されている。
【００１８】
そして、上記した構成を備えた短冊１０を笹に取り付けるには、短冊１０の穴１１に笹の小枝を直接通して、短冊１０を吊り下げることにより行う。
【００１９】
このように本実施形態に係る短冊１０によれば、短冊１０を笹に取り付ける時にこよりを使用せずに短冊１０だけを用意すればよい。したがって、短冊の小さな穴にこよりを通したり、或いは、こよりの端部を結束したりする細かい作業を行う必要がないため、短冊１０の笹への取り付け作業の簡略化を図ることができる。また、七夕飾りの部品点数を削減することができるため、コストの低減化を図ることもできる。
【００２０】
また、短冊１０の穴１１が上半円形状を有しているため、短冊１０を笹の小枝に吊り下げた時の姿勢が鉛直姿勢又はそれに近い姿勢を保つようになるため、短冊１０で笹を綺麗に飾りつけすることができる。
【００２１】
さらに、短冊１０の上端部１２が半円状に形成されているため、短冊１０を笹に吊り下げる時に、短冊１０の上端部１２が笹の葉や小枝等に干渉するのを防止することができる。これにより、短冊１０の笹への取り付け作業をより簡略化することができると共に、短冊１０で笹をさらに綺麗に飾りつけすることができる。
【００２２】
なお、上記した実施形態では、短冊１０を七夕飾りとして使用する場合について説明したが、これは単なる例示に過ぎず、本発明はクリスマスツリー等、他の用途の飾りとしても使用可能である。
【００２３】
また、上記した本考案の実施形態の説明は、本考案に係る短冊における好適な実施形態を説明しているため、素材や形状、寸法等において技術的に好ましい種々の限定を付している場合もあるが、本考案の技術範囲は、特に本考案を限定する記載がない限り、これらの態様に限定されるものではない。
【００２４】
さらに、上記した本考案の実施の形態における構成要素は適宜、既存の構成要素等との置き換えが可能であり、かつ、他の既存の構成要素との組合せを含む様々なバリエーションが可能であり、上記した本考案の実施の形態の記載をもって、実用新案登録請求の範囲に記載された考案の内容を限定するものではないことは言う迄もない。
【符号の説明】
【００２５】
１０  短冊
１１  穴
１２  上端部
【図１】
0003183925.tif 000003
【図２】
0003183925.tif 000004